(57)【要約】【課題】  袋の内側に折り込まれた底部が押し広がって自立を可能にした包装用袋において、底部の簡単な構造により自立安定性を高めた包装用袋を提供する。【解決手段】  内側に折り込まれた底部８のガゼット２が押し広がって自立を可能にした包装用袋１において、底部８の左右両側の下方端部５ｂに比し中央の下方端部５ａを長くして左右両側の下方端部５ｂと中央の下方端部５ａとに段差６を設け、前記中央の下方端部５ａと左右両側の下方端部５ｂとの間に渡って左右両側の下方端部５ｂよりも上方に繰り抜かれた欠除部７を設けた。【選択図】        図１
2005320022.tif 000002
【特許請求の範囲】
【請求項１】
袋の内側に折り込まれた底部が押し広がって自立を可能にした包装用袋において、前記底部は下方端部が接着されて剛性が付与されており、その左右両側の下方端部に比し中央の下方端部を長くして左右両側の下方端部と中央の下方端部とは段差を有し、かつ、前記中央の下方端部と左右両側の下方端部との間に渡って左右両側の下方端部よりも上方に繰り抜かれた欠除部を設けたことを特徴とする自立安定性を高めた包装用袋。
【請求項２】
上方の開口部に、この開口部を再開閉するためのファスナーを設けたことを特徴とする請求項１に記載の自立安定性を高めた包装用袋。
【請求項３】
欠除部は波状の弯曲形状となっていることを特徴とする請求項１乃至２の何れかに記載の自立安定性を高めた包装用袋。
【請求項４】
袋の内側に折り込まれた底部が押し広がって自立を可能にした包装用袋において、前記包装用袋の表裏底部それぞれに剛性を有する帯状フィルムを接着一体化してなり、前記包装用袋に接着された前記帯状フィルムは、その左右両側の下方端部に比し中央の下方端部を長くして左右両側の下方端部と中央の下方端部とは段差を有し、かつ、前記中央の下方端部と左右両側の下方端部との間に渡って左右両側の下方端部よりも上方に繰り抜かれた欠除部が設けられており、すくなくとも前記欠除部は包装用袋本体よりも下方に位置していることを特徴とする自立安定性を高めた包装用袋。
【発明の詳細な説明】
【技術分野】
【０００１】
本発明は、袋の内側に折り込まれた底部が押し広がって自立を可能にした包装用袋に関し、その底部の構造を改良して自立安定性を高めた包装用袋に関するものである。
【背景技術】
【０００２】
従来、袋の内側に折り込まれた底部が押し広がって自立を可能にした包装用袋として、
例えば、特開２００１−７２０８０号公報（特許文献１）、特開２００１−７２０８１号公報（特許文献２）、実開平７−２１５７９号公報（特許文献３）が提供されている。
【０００３】
これらは、袋の内側に折り込まれた底部を有していない袋に比べれば、内容物を包入することにより袋の内側に折り込まれた底部が押し広がって自立性を有しているが、内容物を包入することにより底部の中央下方端部が膨らみ、この膨らみにより左右両側の下方端部が内側に引き寄せられ左右両側の下方端部より前記中央下方端部が浮き上がった形態となる。これにより、袋の底部は左右両側の下方端部が接地点となり、これを支点にして袋は前記中央下方端部が浮き上がった隙間分で厚み方向に揺動し、自立性を向上したというものの確実に安定した自立性が得られていない。
【特許文献１】特開２００１−７２０８０号公報
【特許文献２】特開２００１−７２０８１号公報
【特許文献３】実開平７−２１５７９号公報
【発明の開示】
【発明が解決しようとする課題】
【０００４】
本発明は、底部の簡単な構造により従来の自立不安定な問題点を解消し自立安定性を高めた包装用袋を提供することである。
【課題を解決するための手段】
【０００５】
上記の課題を解決するための本発明は、請求項１に記載の通り、袋の内側に折り込まれた底部が押し広がって自立を可能にした包装用袋において、前記底部は下方端部が接着されて剛性が付与されており、その左右両側の下方端部に比し中央の下方端部を長くして左右両側の下方端部と中央の下方端部とは段差を有し、かつ、前記中央の下方端部と左右両側の下方端部との間に渡って左右両側の下方端部よりも上方に繰り抜かれた欠除部を設けたことを特徴とするものである。
【０００６】
請求項２に記載の通り、前記請求項１の包装用袋において、上方の開口部に、この開口部を再開閉するためのファスナーを設けたことを特徴とするとしたものである。
【０００７】
請求項３に記載の通り、前記請求項１乃至２の何れかに記載の包装用袋において、欠除部は波状の弯曲形状となっていることを特徴とするものである。
【０００８】
請求項４に記載の通り、袋の内側に折り込まれた底部が押し広がって自立を可能にした包装用袋において、前記包装用袋の表裏底部それぞれに剛性を有する帯状フィルムを接着一体化してなり、前記包装用袋に接着された前記帯状フィルムは、その左右両側の下方端部に比し中央の下方端部を長くして左右両側の下方端部と中央の下方端部とは段差を有し、かつ、前記中央の下方端部と左右両側の下方端部との間に渡って左右両側の下方端部よりも上方に繰り抜かれた欠除部が設けられており、すくなくとも前記欠除部は包装用袋本体よりも下方に位置していることを特徴とするものである。
【発明の効果】
【０００９】
本発明は、上記左右両側の下方端部に比し中央の下方端部を長くして左右両側の下方端部と中央の下方端部とに形成した段差と、中央の下方端部と左右両側の下方端部との間に渡って左右両側の下方端部よりも上方に繰り抜かれた欠除部とによる底部の形態によって底部が拡開した状態で中央の下方端部と左右両側の下方端部とが略均等な接地状態を確保し自立安定性を高める効果を有している。
【発明を実施するための最良の形態】
【００１０】
以下本発明を実施するための最良の形態を図面に基づいて説明する。図１において１は合成樹脂複層素材乃至合成樹脂を含む各種複層素材よりなる包装用袋であり、底部８には包装用袋１の内側に折り込まれたガゼット２が船底形状シール３とサイドシール４とによって拡開可能に設けられ、従って、底部８の下方端部はその所要部が接着されて剛性が付与されている。
【００１１】
本発明は、前記底部８は左右両側の下方端部５ｂに比し中央の下方端部５ａを長くして左右両側の下方端部５ｂと中央の下方端部５ａとは段差６を形成している。この段差６は包装用袋１の大小、底部8の拡開サイズ、内容物の重量等を考慮して適正に設定されるが、５ｍｍ前後の段差が適当である。
【００１２】
さらに、前記中央の下方端部５ａと左右両側の下方端部５ｂとの間に渡って左右両側の下方端部５ｂよりも上方に波状の彎曲形状に繰り抜かれた欠除部７を設けた形態である。      
【００１３】
上記包装用袋１の開口部９は、顧客が手にする時点では多くの場合、開封を必要とする状態にあるから、ノッチ、薄肉線、ミシン目、傷痕群等により開封をし易くする配慮が為されることが望ましい。また、図１及び図２で示すように、開口部９を再開閉するためのファスナー１０を設けた袋であってもよい。
【００１４】
本発明は上記の通りの構造であるから、包装用袋１内に内容物を包入することで底部８のガゼット２が押し拡がり中央の下方端部５ａが膨らみ厚みができて自立状態となる。この中央の下方端部５ａが膨らむことにより左右両側の下方端部５ｂを内側に引き寄せようとする力が生じるが、この左右両側の下方端部５ｂを内側に引き寄せようとする力を、中央の下方端部５ａと左右両側の下方端部５ｂとの間に渡って左右両側の下方端部５ｂよりも上方に波状の彎曲形状に繰り抜かれた欠除部７で遮断し、これによって左右両側の下方端部５ｂは内側に引き寄せられることなく、その独立性が確保されて自立を安定させる。      
【００１５】
さらには、左右両側の下方端部５ｂに比し中央の下方端部５ａを長くして左右両側の下方端部５ｂと中央の下方端部５ａとに段差６を設けたことによって、中央の下方端部５ａの浮き上がりが防止される。すなわち、左右両側の下方端部５ｂの接地点を支点にして中央の下方端部５ａが浮き上がった隙間分で厚み方向に揺動するガタつきが押えられ、幅広で剛性を有する中央の下方端部５ａと、同じく剛性を有し前述のように独立性が確保された左右両側の下方端部５ｂとの荷重分散により、極めて安定性の高い自立機能を果たせしめるものである。
【００１６】
このように、段差６を適当ならしめることによって、幅広で剛性を有する中央の下方端部５ａと、同じく剛性を有し前述のように独立性が確保された左右両側の下方端部５ｂとの荷重分散を図ることができるようにすることが望ましいが、横幅のある袋や折り込みの深い袋にあっては、左右両側の下方端部５ｂが内側に引き寄せられないようにするだけで、必要十分な自立安定性が得られるような場合もあるから、左右両側の下方端部５ｂの接地は必須要件ではないものである。
【００１７】
上記の実施形態では、中央の下方端部５ａと左右両側の下方端部５ｂとの間に渡って左右両側の下方端部５ｂよりも上方に繰り抜かれた欠除部７を波状の弯曲形状で説明したが、図３で示すように多種の形状としても本発明の作用効果が得られる。
【００１８】
すなわち、図３（Ａ）の円形の欠除部７、図３（Ｂ）の角形の欠除部７、図３（Ｃ）のヘの字形の欠除部７及び図３（Ｄ）の台形の欠除部７とすることもできる。この他本発明の趣旨に則った見栄えをよくするデザインの採用、足場を固める設計変更がなされてよい。
【００１９】
また、図４（イ）に示すような通常の自立性包装用袋１の表裏底部のそれぞれに、図４（ロ）に示すような剛性をの帯状フィルム１１を図４（ハ）に示すように接着一体化し、この 帯状フィルム１１に本発明の趣旨に則った段差６と欠除部７の関係を適用することによって、この種包装袋の生産効率を上げ、底部によりしっかりした剛性を付与する工夫をなすこともできる。
【産業上の利用可能性】
【００２０】
本発明による包装用袋１は固体や液体等の各種の内容物を包入するが、開口部の開口状態で水や湯の注入を必要とするアルファ化穀類の個食用包装袋に適用すれば、水や湯の注入の際に水や湯を溢流することなく自立安定した状態で注入することができ、安全性の高いアルファ化穀類の個食用包装を提供することができる。
【図面の簡単な説明】
【００２１】
【図１】本発明による包装用袋の正面図
【図２】本発明による包装用袋に内容物を包入した状態の斜視図
【図３】本発明の他の実施例を示す要部の正面図
【図４】本発明の他の実施例を示す各構成要素及び完成包装用袋の正面図
【符号の説明】
【００２２】
１      包装用袋
２      ガゼット
３      船底形状シール
４      サイドシール
５ａ    中央の下方端部
５ｂ    左右両側の下方端部
６      段差
７      欠除部 
８      底部
９      開口部
１０      ファスナー
１１      帯状フィルム
【図１】
2005320022.tif 000003
【図２】
2005320022.tif 000004
【図３】
2005320022.tif 000005
【図４】
2005320022.tif 000006